(57)【要約】【課題】作業性良く遊技機を搭載して固定できる遊技機用作業台を提供する。【解決手段】本開示の一態様は、遊技機Ｐを搭載する載置部２３を有する遊技機用台車１において、載置部２３に搭載した遊技機Ｐを固定するクランプ部１２（ホールドバー）を有し、クランプ部１２（ホールドバー）は、遊技機Ｐを左右方向から挟み込んで固定可能な一対のクランプアーム３１Ａ，３１Ｂを備えている。また、クランプアーム３１Ａ，３１Ｂは、載置部２３に対して昇降可能であって、載置部２３に対して下降させてクランプアーム収容機構３２Ａ，３２Ｂに収容可能である。【選択図】図１
2019166271.tif 000002
【特許請求の範囲】
【請求項１】
遊技機を搭載する載置部を有する遊技機用作業台において、
前記載置部に搭載した前記遊技機を固定するクランプ部を有し、
前記クランプ部は、前記遊技機を左右方向から挟み込んで固定可能な一対のクランプアームを備えていること、
を特徴とする遊技機用作業台。
【請求項２】
請求項１の遊技機用作業台において、
前記クランプアームを収容するクランプアーム収容機構を有し、
前記クランプアームは、前記載置部に対して昇降可能であって、前記載置部に対して下降させて前記クランプアーム収容機構に収容可能であること、
を特徴とする遊技機用作業台。
【請求項３】
請求項１または２の遊技機用作業台において、
前記載置部に設けられ、前記遊技機の前枠を開放したときに前記前枠を保持するサポートアジャスタ部を有すること、
を特徴とする遊技機用作業台。
【請求項４】
請求項３の遊技機用作業台において、
前記サポートアジャスタ部は、前記前枠に接して保持する前枠保持部を備え、
前記前枠保持部は、前記載置部に対して昇降可能であること、
を特徴とする遊技機用作業台。
【請求項５】
請求項１乃至４のいずれか１つの遊技機用作業台において、
前記載置部の昇降機能を有すること、
を特徴とする遊技機用作業台。
【請求項６】
請求項１乃至５のいずれか１つの遊技機用作業台において、
前記遊技機用作業台を移動可能とする車輪を有すること、
を特徴とする遊技機用作業台。
【発明の詳細な説明】
【技術分野】
【０００１】
本開示は、パチンコ機などの遊技機を搭載して、遊技機の運搬、および／または、遊技機に対する作業を行うための遊技機用作業台に関する。
【背景技術】
【０００２】
特許文献１には、遊技機用台車が開示されている。この遊技機用台車において、載置台に載置した遊技機を、係合凹部と複数の転倒防止板と固定バンドとで支持している。
【先行技術文献】
【特許文献】
【０００３】
【特許文献１】特開２００４−１６６９８１号公報
【発明の概要】
【発明が解決しようとする課題】
【０００４】
しかしながら、特許文献１に開示された遊技機用台車は、遊技機を載置台に載せる際には、係合凹部を囲むように立ち上がって形成される複数の転倒防止板を避けるために遊技機を一旦持ち上げて、載置台の上面の係合凹部に遊技機の下部を嵌め込ませる必要がある。さらに、遊技機を載置台に固定するときには固定バンドを遊技機の上部に掛け渡す必要がある。そのため、遊技機用台車に遊技機を搭載して固定する作業に手間を要し、作業性が良くない。
【０００５】
そこで、本開示は上記した問題点を解決するためになされたものであり、作業性良く遊技機を搭載して固定できる遊技機用作業台を提供することを目的とする。
【課題を解決するための手段】
【０００６】
上記課題を解決するためになされた本開示の一形態は、遊技機を搭載する載置部を有する遊技機用作業台において、前記載置部に搭載した前記遊技機を固定するクランプ部を有し、前記クランプ部は、前記遊技機を左右方向から挟み込んで固定可能な一対のクランプアームを備えていること、を特徴とする。
【発明の効果】
【０００７】
本開示の遊技機用作業台によれば、作業性良く遊技機を搭載して固定できる。
【図面の簡単な説明】
【０００８】
【図１】本実施形態の遊技機用台車の外観斜視図である。
【図２】搭載部に遊技機を搭載した図（クランプ部で遊技機を固定していない状態を示す図）である。
【図３】搭載部に遊技機を搭載した図（クランプ部で遊技機を固定した状態を示す図）である。
【図４】サポートアジャスタ部の外観斜視図である。
【図５】サポートアジャスタ部の断面図である。
【図６】変形例のサポートアジャスタ部を有する遊技機用台車の外観斜視図である。
【図７】ストッパの一例を示す図である。
【図８】載置部が上昇した状態を示す図である。
【図９】図８に対応する遊技機用台車の側面図である。
【図１０】載置部が下降した状態を示す図である。
【発明を実施するための形態】
【０００９】
以下、本開示の遊技機用作業台の実施形態について説明する。なお、以下の説明においては、本開示の遊技機用作業台の実施形態の一例として、遊技機Ｐを搭載してその遊技機Ｐの運搬を行う遊技機用台車を例に挙げて説明する。また、以下の説明において、「上下方向」とは遊技機島に設置される遊技機の上下方向であり、「左右方向」とは遊技機島に設置される遊技機の左右方向である。
【００１０】
＜遊技機用台車の構成について＞
本実施形態の遊技機用台車１は、パチンコ機などの遊技機Ｐを搭載して、遊技機Ｐの運搬、および／または、遊技機Ｐに対する作業を行うための台車である。図１に示すように、遊技機用台車１は、台車部１１とクランプ部１２（ホールドバー）とサポートアジャスタ部１３を有する。
【００１１】
台車部１１は、遊技機用台車１を前後方向および左右方向に移動可能とする車輪であるキャスタ２１を設けた台車ベース部２２と、この台車ベース部２２の上に設けられた載置部２３を備えている。載置部２３は、図２や図３に示すように遊技機Ｐを搭載する部分である。
【００１２】
クランプ部１２（ホールドバー）は、台車部１１の載置部２３に搭載した遊技機Ｐを固定する手段である。このクランプ部１２（ホールドバー）は、クランプアーム３１とクランプアーム収容機構３２とクランプレバー３３を備えている。クランプアーム３１とクランプアーム収容機構３２は、それぞれ台車部１１の台車ベース部２２の左右に一対設けられている。ここでは、クランプアーム３１としてクランプアーム３１Ａとクランプアーム３１Ｂを備え、クランプアーム収容機構３２としてクランプアーム収容機構３２Ａとクランプアーム収容機構３２Ｂを備えている。
【００１３】
クランプアーム３１Ａ，３１Ｂは、図３に示すように、遊技機Ｐを左右方向から挟み込んで固定する手段である。また、クランプアーム３１Ａ，３１Ｂは、載置部２３に対して昇降可能であって、載置部２３に対して下降させて、図１に示すようにクランプアーム収容機構３２Ａ，３２Ｂの内部に収容可能である。クランプレバー３３は、クランプアーム３１Ａとクランプアーム３１Ｂを操作するものである。
【００１４】
そこで、クランプアーム３１Ａ，３１Ｂの作用について詳しく説明する。まず、図１に示すように、クランプアーム３１Ａ，３１Ｂが、下降した状態で、クランプアーム収容機構３２Ａ，３２Ｂの内部に収容されている（収容状態、第１状態）。次に、図２に示すように、載置部２３に遊技機Ｐを搭載し、かつ、クランプアーム３１Ａ，３１Ｂを上昇させてクランプアーム収容機構３２Ａ，３２Ｂの内部から引き出す（引き出し状態、第２状態）。このとき、クランプアーム３１Ａ，３１Ｂは、左右に倒れ掛かるような状態になっており、遊技機Ｐを保持していない。次に、図３に示すように、左右に倒れ掛かっているクランプアーム３１Ａ，３１Ｂを遊技機Ｐ側に引き寄せて、クランプアーム３１Ａ，３１Ｂにより遊技機Ｐを左右方向から挟み込んで固定する（固定状態、第３状態）。
【００１５】
サポートアジャスタ部１３は、台車部１１の載置部２３に設けられ、遊技機Ｐの前枠Ｐａを開放したときに前枠Ｐａを保持する手段である。サポートアジャスタ部１３は、図４と図５に示すように、アジャスタベース部４１とアジャスタ回転部４２を備えている。アジャスタベース部４１は、台車部１１の載置部２３に取り付けられている（図１参照）。アジャスタ回転部４２（「前枠保持部」の一例）は、前枠Ｐａに接して保持する部位である。このアジャスタ回転部４２は、その軸方向の一方に円形の端面を備える円筒状に形成され、アジャスタベース部４１に対して回転しながら昇降可能であり、これにより載置部２３に対して昇降可能となっている。
【００１６】
また、サポートアジャスタ部１３は、載置部２３に設けられた溝２３ａ（図１参照）に沿って移動可能である。これにより、前枠Ｐａを開放したときの前枠Ｐａの位置が図１に示す位置からずれたとしても、サポートアジャスタ部１３を溝２３ａに沿って移動させることにより、サポートアジャスタ部１３により前枠Ｐａを保持できる。すなわち、言い換えると、前枠Ｐａを開放したときに前枠Ｐａを所望の位置に配置した場合に、確実にサポートアジャスタ部１３により前枠Ｐａを保持できる。
【００１７】
なお、変形例として、載置部２３に設けられた溝２３ａがなく、サポートアジャスタ部１３は、両面テープやゴムの摩擦で載置部２３に貼り付けられていてもよい。また、サポートアジャスタ部１３は、単独で遊技機島に設置可能としてもよい。
【００１８】
また、アジャスタ回転部４２は昇降可能であるので、前枠Ｐａの高さにばらつきがあっても、確実にサポートアジャスタ部１３により前枠Ｐａを保持できる。なお、サポートアジャスタ部１３の材質は、（少なくともアジャスタ回転部４２の部分が）ゴムなどの弾性を有する素材とすることが望ましい。
【００１９】
＜遊技機用台車の作用について＞
次に、以上のような構成の遊技機用台車１の作用について説明する。ここでは、遊技機島（不図示）に取り付けられている遊技機Ｐを遊技機島から搬出する際における遊技機用台車１の使用方法について説明する。
【００２０】
そこで、まず、搬出する遊技機Ｐの前に遊技機用台車１を配置する。このとき、遊技機Ｐの前に設けられている椅子（不図示）は、台車部１１に存在する空間部の内部に収容させることができる。そのため、椅子が邪魔にならずに遊技機Ｐの前に遊技機用台車１を配置することができる。
【００２１】
次に、図１に示すように、遊技機Ｐの前枠Ｐａを開放して、前枠Ｐａ（図１に２点鎖線で示す部位）をサポートアジャスタ部１３の上の位置に配置させる。次に、サポートアジャスタ部１３のアジャスタ回転部４２を回転させて昇降させることにより、アジャスタ回転部４２の高さを調整する。そして、これにより、アジャスタ回転部４２を前枠Ｐａに接触させて、前枠Ｐａをサポートアジャスタ部１３で保持する。このようにして、開放された前枠Ｐａがサポートアジャスタ部１３により保持される。なお、このとき、図１に示すように、クランプアーム３１Ａ，３１Ｂは、クランプアーム収容機構３２Ａ，３２Ｂの内部に収容されている。
【００２２】
次に、遊技機Ｐを遊技機島に取り付けた状態を解除する。すなわち、遊技機Ｐ（の外枠）を遊技機島に取り付けるための取付装置を操作して、遊技機Ｐを遊技機島から解放させる。このとき、本実施形態では、遊技機Ｐの前枠Ｐａがサポートアジャスタ部１３に保持されているので、前枠Ｐａを開放した状態で安定して遊技機Ｐを遊技機島から解放させることができる。そのため、作業者は、遊技機Ｐが遊技機島から落下するおそれを懸念する必要なく、作業性良く遊技機Ｐを遊技機島から解放させることができる。そして、このように遊技機Ｐを遊技機島から解放した後、前枠Ｐａを閉める。
【００２３】
次に、遊技機Ｐを遊技機島から引き出して、図２に示すように、遊技機Ｐを台車部１１の載置部２３に搭載する。次に、クランプアーム収容機構３２Ａ，３２Ｂの内部に収容されているクランプアーム３１Ａ，３１Ｂを、クランプアーム収容機構３２Ａ，３２Ｂから上方に引き出す。
【００２４】
次に、図３に示すように、クランプレバー３３を操作して、クランプアーム３１Ａ，３１Ｂにより遊技機Ｐを左右方向から挟み込んで固定する。そして、このようにして遊技機Ｐを遊技機用台車１に固定した状態で、遊技機用台車１を移動させて遊技機Ｐを運搬する。
【００２５】
なお、サポートアジャスタ部１３は、載置部２３に突出して組み付けられている。そのため、遊技機Ｐを載置部２３に搭載する際に、遊技機Ｐの前面側（後面側）を載置部２３が当接することで遊技機Ｐの搭載位置をクランプ部１２（ホールドバー）の適切な位置に合わせる際の目安となり得る。そこで、サポートアジャスタ部１３は、載置部２３において、例えば、遊技機Ｐを載置部２３に搭載する際に作業者の手前側（図１の紙面手前側、遊技機Ｐ側とは反対側）となる端部から載置部２３の幅の半分の範囲ａ（図１参照）内に設けられていることが望ましい。
【００２６】
なお、ここでは本開示の遊技機用作業台の一例である遊技機用台車１を使用して遊技機Ｐを搬出する場合を例に挙げて説明したが、本開示の遊技機用作業台の使用例はこれに限定されない。本開示の遊技機用作業台は、例えば、遊技機島に取り付けられた状態の遊技機Ｐに対して作業（例えば、メンテナンス作業）を行うための作業台として使用することもできる。
【００２７】
すなわち、サポートアジャスタ部１３は、図１にて２点鎖線で示すように遊技機Ｐの前枠Ｐａを開放した状態で、遊技機Ｐに対してメンテナンス作業を行うことができる。また、従来のように、前枠Ｐａをヒンジ（不図示）で片持ちの状態にしたままであるとヒンジが歪んでしまう場合があり、また、遊技機Ｐを遊技機島に固定する前の段階では遊技機Ｐが前側に倒れ込んでくる恐れがある。しかしながら、サポートアジャスタ部１３により、ヒンジが歪むことや、遊技機Ｐが前側に倒れ込んでくることを予防でき、作業性が向上する。
【００２８】
このように、遊技機Ｐの前枠Ｐａをサポートアジャスタ部１３で保持させた状態で、遊技機Ｐを遊技機島に取り付けた状態のまま遊技機Ｐに対して作業を行うことも可能である。そのため、本開示の遊技機用作業台の一例として、作業性良く遊技機Ｐに対する作業を行うために、遊技機Ｐの前枠Ｐａを開放したときに前枠Ｐａを保持するサポートアジャスタ部１３を有する遊技機用作業台とすることも考えられる。そして、このように本開示の遊技機用作業台を遊技機Ｐに対する作業を行うための作業台とする場合には、クランプ部１２（ホールドバー）やキャスタ２１は必ずしも設ける必要はない。また、サポートアジャスタ部１３のみを独立した機構として構成し、遊技機島の天板等に載せて使用することも可能である。
【００２９】
＜サポートアジャスタ部の変形例について＞
サポートアジャスタ部の変形例として、サポートアジャスタ部１３の代わりに、図６に示すようなサポートアジャスタ部１４としてもよい。このサポートアジャスタ部１４は、台車部１１の載置部２３に設けられ、遊技機Ｐの前枠Ｐａを開放したときに前枠Ｐａを保持する手段である。具体的には、サポートアジャスタ部１４は、アジャスタ板部５１とアジャスタハンドル部５２を備えている。アジャスタ板部５１（「前枠保持部」の一例）は、前枠Ｐａに接して保持する部位である。このアジャスタ板部５１は、長方形の板状に形成されている。アジャスタハンドル部５２は、アジャスタ板部５１の昇降を操作するものである。この変形例では、アジャスタハンドル部５２を操作してアジャスタ板部５１を昇降させることにより、アジャスタ板部５１の高さを調整して、アジャスタ板部５１により遊技機Ｐの前枠Ｐａ（図６に２点鎖線で示す部位）を保持することができる。
【００３０】
ここで、アジャスタ板部５１は、長方形の板状に形成されているので、前枠Ｐａを開放したときの前枠Ｐａの位置が図６に示す位置からずれたとしても、アジャスタ板部５１により前枠Ｐａを保持できる。すなわち、言い換えると、前枠Ｐａを開放したときに前枠Ｐａを所望の位置に配置した場合に、確実にサポートアジャスタ部１４により前枠Ｐａを保持できる。
【００３１】
また、アジャスタ板部５１は昇降可能であるので、前枠Ｐａの高さにばらつきがあっても、確実にサポートアジャスタ部１４により前枠Ｐａを保持できる。なお、サポートアジャスタ部１４の材質は、（少なくともアジャスタ板部５１の部分が）ゴムなどの弾性を有する素材とすることが望ましい。
【００３２】
＜ストッパについて＞
また、遊技機用台車１は、台車部１１の移動を制止するためのストッパ（フットブレーキ）を有していてもよい。ストッパとしては、図７に示すように、キャスタ２１と一体的に形成されたキャスタロック部２１ａ、および／または、台車部１１の台車ベース部２２に設けられた踏み込み式のストッパ１５であってもよい。このように、ストッパを有することにより、台車部１１の移動を制止した状態で、安定して遊技機Ｐを遊技機島から搬出したり、遊技機Ｐに対して作業を行うことができる。なお、ストッパ１５を設ける位置は、図７に示すような台車ベース部２２の前側の位置に限定されず、台車ベース部２２の他の位置であってもよい。また、台車ベース部２２の形状は特に限定されず、図７に示すような形状であっても、あるいは、図１や図６に示すような形状であってもよい。
【００３３】
＜載置部の変更例について＞
また、遊技機用台車１は、載置部２３の昇降機能を有していてもよい。この場合、図８〜図１０に示すように、遊技機用台車１は、台車ベース部２２に対して昇降可能に嵌合する嵌合部２４を有する。そして、載置部２３は、この嵌合部２４に取り付けられている。図８と図９に示すように、嵌合部２４が台車ベース部２２に対して上昇した状態となっており、これにより、載置部２３は上昇した状態となっている。また、図１０に示すように、嵌合部２４が台車ベース部２２に対して下降した状態となっており、これにより、載置部２３は下降した状態となっている。
【００３４】
＜本実施形態の効果について＞
以上のように本実施形態の遊技機用台車１は、載置部２３に搭載した遊技機Ｐを固定するクランプ部１２（ホールドバー）を有する。そして、クランプ部１２（ホールドバー）は、遊技機Ｐを左右方向から挟み込んで固定可能な一対のクランプアーム３１Ａ，３１Ｂを備えている。
【００３５】
このようにして本実施形態の遊技機用台車１によれば、遊技機Ｐの全周を固定するのではなく、一対のクランプアーム３１Ａ，３１Ｂにより遊技機Ｐを左右方向から挟み込んでしっかりと固定できる。そして、遊技機Ｐを遊技機用台車１に固定する際には、作業者は、遊技機Ｐを載置部２３に搭載した後にクランプレバー３３を操作するだけで、容易に一対のクランプアーム３１Ａ，３１Ｂにより遊技機Ｐを左右方向から挟み込んで固定できる。そのため、作業性良く遊技機用台車１に遊技機Ｐを搭載して固定できる。したがって、遊技機用台車１を用いて、容易に遊技機Ｐの搬出や遊技機Ｐに対する作業を行うことができる。
【００３６】
また、遊技機用台車１は、クランプアーム３１を収容するクランプアーム収容機構３２を有する。そして、クランプアーム３１は、載置部２３に対して昇降可能であって、載置部２３に対して下降させてクランプアーム収容機構３２に収容可能である。
【００３７】
このようにして本実施形態の遊技機用台車１によれば、遊技機Ｐを載置部２３に搭載するときや、遊技機Ｐの前枠Ｐａを開放して遊技機Ｐに対する作業を行うときなど、クランプアーム３１を使用しないときには、クランプアーム３１をクランプアーム収容機構３２の内部に収容できる。そのため、クランプアーム３１を使用しないときに、クランプアーム３１が作業の邪魔にならないので、利便性および作業性が向上する。
【００３８】
また、遊技機用台車１は、載置部２３に設けられ、遊技機Ｐの前枠Ｐａを開放したときに前枠Ｐａを保持するサポートアジャスタ部１３，１４を有する。
【００３９】
これにより、サポートアジャスタ部１３，１４により前枠Ｐａを保持して、遊技機Ｐを搬出する際に遊技機Ｐの前枠Ｐａを開放した状態で遊技機Ｐを島設備から取り外すことができ、また、遊技機Ｐの前枠Ｐａを開放した状態で遊技機Ｐに対する作業を行うことができる。そのため、作業者は遊技機Ｐの前枠Ｐａを支える必要がないので、遊技機Ｐの搬出や遊技機Ｐに対する作業において、作業性が良くなる。
【００４０】
また、サポートアジャスタ部１３は、前枠Ｐａに接して保持するアジャスタ回転部４２を備えている。そして、アジャスタ回転部４２は、載置部２３に対して昇降可能である。また、サポートアジャスタ部１４は、前枠Ｐａに接して保持するアジャスタ板部５１を備えている。そして、アジャスタ板部５１は、載置部２３に対して昇降可能である。
【００４１】
これにより、アジャスタ回転部４２やアジャスタ板部５１の高さを調整して、アジャスタ回転部４２やアジャスタ板部５１により前枠Ｐａに接して保持させることができる。サポートアジャスタ部１３，１４により確実に前枠Ｐａを保持することができる。
【００４２】
また、本実施形態では、載置部２３全体を昇降させて載置部２３で前枠Ｐａを保持するのではなく、アジャスタ回転部４２やアジャスタ板部５１を昇降させてサポートアジャスタ部１３，１４により前枠Ｐａを保持する。そのため、作業者は、少ない労力で簡単に、開放した前枠Ｐａを保持させることができる。
【００４３】
また、遊技機用台車１は、載置部２３の昇降機能を有していてもよい。これにより、遊技機島の天板と載置部２３の高さを一致させることで、遊技機Ｐの遊技機用台車１への移動が楽になる。
【００４４】
また、遊技機用台車１を移動可能とするキャスタ２１を有する。これにより、遊技機Ｐを固定させた遊技機用台車１を移動させることにより、遊技機Ｐを運搬できる。
【００４５】
なお、上記した実施の形態は単なる例示にすぎず、本開示を何ら限定するものではなく、その要旨を逸脱しない範囲内で種々の改良、変形が可能であることはもちろんである。
【００４６】
例えば、遊技機には、パチンコの他に、アレンジボール、雀球又はスロットマシンも含まれるとしてもよい。
【符号の説明】
【００４７】
１    遊技機用台車
１１  台車部
１２  クランプ部
１３  サポートアジャスタ部
１４  サポートアジャスタ部
１５  ストッパ
２１  キャスタ
２１ａ  キャスタロック部
２２  台車ベース部
２３  載置部
２３ａ  溝
２４  嵌合部
３１，３１Ａ，３１Ｂ  クランプアーム
３２，３２Ａ，３２Ｂ  クランプアーム収容機構
３３  クランプレバー
４１  アジャスタベース部
４２  アジャスタ回転部
５１  アジャスタ板部
５２  アジャスタハンドル部
Ｐ  遊技機
Ｐａ  前枠
ａ  範囲
【図１】
2019166271.tif 000003
【図２】
2019166271.tif 000004
【図３】
2019166271.tif 000005
【図４】
2019166271.tif 000006
【図５】
2019166271.tif 000007
【図６】
2019166271.tif 000008
【図７】
2019166271.tif 000009
【図８】
2019166271.tif 000010
【図９】
2019166271.tif 000011
【図１０】
2019166271.tif 000012